(57)【要約】【課題】読取装置の読取エリアを広くしても、端末器の正確な所在管理を行うことができるセキュリティシステムを提供する。【解決手段】端末識別情報を有するタグ１と、読取エリア２ａに存在するタグ１から、その端末識別情報を読み取るためのリーダ２と、読取エリア３ａに存在するタグ１から、その端末識別情報を読み取るためのリーダ３と、リーダ２及び３が読み取った各端末識別情報に基づいて、タグ１の所在を管理する制御部４とを備える。制御部４は、リーダ２が読み取りを行うと、そのタグ１の所在情報をリーダ２の設置位置情報に合わせて更新する。また、制御部４は、リーダ３が読み取りを行うと、そのタグ１の所在情報とそのリーダ３の設置位置情報とが所定の条件で一致する場合に、上記タグ１の所在情報を上記リーダ３の設置位置情報に合わせて更新し、一致しない場合は、タグ１の所在情報の更新を行わない。【選択図】図２
2011182192.tif 000002
【特許請求の範囲】
【請求項１】
自機を識別するための端末識別情報を有する端末器と、
所定の第１読取エリアに存在する前記端末器から、その端末識別情報を無線で読み取るための第１読取装置と、
前記第１読取エリアよりも広い所定の第２読取エリアに存在する前記端末器から、その端末識別情報を無線で読み取るための第２読取装置と、
前記第１読取装置及び前記第２読取装置が読み取った各端末識別情報に基づいて、前記端末器の所在を管理する制御部と、
を備え、
前記制御部は、前記第１読取装置が前記端末器から端末識別情報を読み取ると、管理している前記端末器の所在情報を前記第１読取装置の設置位置情報に合わせて更新するとともに、前記第２読取装置が前記端末器から端末識別情報を読み取ると、前記端末器の所在情報と前記第２読取装置の設置位置情報とが所定の条件で一致する場合に、前記端末器の所在情報を前記第２読取装置の設置位置情報に合わせて更新し、前記所定の条件で一致しない場合は、前記端末器の所在情報の更新を行わないことを特徴とするセキュリティシステム。
【請求項２】
前記第１読取装置及び前記第２読取装置は、前記端末器から端末識別情報を読み取ると、その読み取った端末識別情報と自機を識別するためのリーダ識別情報とを前記制御部に対して送信し、
前記制御部は、
前記端末器の所在情報をその端末識別情報に関連付けて記憶する個人情報記憶部と、
前記第１読取装置及び前記第２読取装置の各設置位置情報をそのリーダ識別情報に関連付けて記憶する機器情報記憶部と、
前記第１読取装置及び前記第２読取装置から受信する情報と前記個人情報記憶部及び前記機器情報記憶部に記憶されている情報とに基づいて、前記個人情報記憶部に記憶されている前記端末器の所在情報の書き換えが必要か否かを判定する動作制御部と、
を備えたことを特徴とする請求項１に記載のセキュリティシステム。
【請求項３】
前記制御部は、前記第２読取装置が前記端末器から端末識別情報を読み取ると、前記端末器の所在階と前記第２読取装置の設置階とが一致する場合に、前記端末器の所在情報を前記第２読取装置の設置位置情報に合わせて更新し、一致しない場合は、前記端末器の所在情報の更新を行わないことを特徴とする請求項１又は請求項２に記載のセキュリティシステム。
【請求項４】
前記制御部は、
前記第２読取装置が前記端末器の端末識別情報を読み取った時に前記所定の条件が一致しない場合の回数をカウントするカウント部と、
を備え、
前記カウント部によってカウントされた回数が所定値に達した場合は、前記所定の条件が一致しなくても、前記端末器の所在情報を前記第２読取装置の設置位置情報に合わせて更新することを特徴とする請求項１から請求項３の何れかに記載のセキュリティシステム。
【請求項５】
前記第２読取装置は、第３読取装置と第４読取装置とを備え、
前記制御部は、前記第２読取装置が前記端末器の端末識別情報を読み取った時に前記所定の条件が一致しない場合は、前記第３読取装置が端末識別情報の読み取りを行っていれば前記端末器の所在情報の更新を行わず、前記第４読取装置が端末識別情報の読み取りを行っていれば、前記カウント部によってカウントされた回数が所定値に達した際に、前記端末器の所在情報の更新を行う
ことを特徴とする請求項４に記載のセキュリティシステム。
【請求項６】
前記第３読取装置は、その読取エリアの他階床への広がりが、前記第４読取装置の読取エリアの他階床への広がりよりも大きく設定されたことを特徴とする請求項５に記載のセキュリティシステム。
【請求項７】
前記第３読取装置は、所定の階床の天井又は床に近接して配置されたことを特徴とする請求項５に記載のセキュリティシステム。
【請求項８】
前記第２読取装置は、前記第２読取エリアの他階床への広がりが、前記第１読取装置の前記第１読取エリアの他階床への広がりよりも大きく設定されたことを特徴とする請求項１から請求項３の何れかに記載のセキュリティシステム。
【請求項９】
前記第２読取装置は、所定の階床の天井又は床に近接して配置されたことを特徴とする請求項１から請求項３の何れかに記載のセキュリティシステム。
【発明の詳細な説明】
【技術分野】
【０００１】
この発明は、端末器の所在を管理するセキュリティシステムに関するものである。
【背景技術】
【０００２】
端末器の所在を管理するシステムでは、例えば、建物内等の所定の空間を複数のエリアに分割して、そのエリア毎に読取装置を設置している。そして、この読取装置によって各人が所有する端末器からの情報を無線で読み取ることにより、上位装置が各読取装置からの読取結果を取り纏め、端末器の所在を管理している。
【０００３】
このようなシステムの従来技術として、例えば、下記特許文献１に記載されたものがある。このシステムでは、執務室と廊下との往来部（ドア部分）に入退室管理用の専用リーダを設置することにより、上記専用リーダによって端末器（の所有者）の入室が検知されると、所定時間経過後に端末器からの発報を停止させるように構成している。
【先行技術文献】
【特許文献】
【０００４】
【特許文献１】特開２００９−７６０１３号公報
【発明の概要】
【発明が解決しようとする課題】
【０００５】
上記読取装置は、例えば、端末器に対する質問信号を所定の範囲に送信することにより、この質問信号を受信した端末器に自機に対する応答を行わせて、端末器からの情報を読み取っている。即ち、各読取装置には、端末器から情報を読み取ることができるエリア（以下、単に「読取エリア」ともいう）がそれぞれ設定されている。
【０００６】
端末器の所在を管理するシステムにおいては、各読取装置の読取エリアを広く設定することができれば、システムに必要な読取装置の台数を少なくすることができる。しかし、読取装置の読取エリアを広く設定すると、建物の床や天井、壁等が電波を十分に吸収しない場合に、読取エリアの一部が、例えば、上下の階床や隣の執務室等にも広がってしまうことがあった。かかる場合、他階床や隣の執務室等に存在する端末器の情報を読取装置が読み取ってしまう恐れがあり、正確な所在管理が実施できなくなってしまう。
【０００７】
なお、特許文献１は、端末器の内蔵電池の長寿命化を実現するための方法を開示したものであり、その内容からは、上記課題を解決することはできなかった。
【０００８】
この発明は、上述のような課題を解決するためになされたもので、その目的は、読取装置の読取エリアを広くしても、端末器の正確な所在管理を行うことができるセキュリティシステムを提供することである。
【課題を解決するための手段】
【０００９】
この発明に係るセキュリティシステムは、自機を識別するための端末識別情報を有する端末器と、所定の第１読取エリアに存在する端末器から、その端末識別情報を無線で読み取るための第１読取装置と、第１読取エリアよりも広い所定の第２読取エリアに存在する端末器から、その端末識別情報を無線で読み取るための第２読取装置と、第１読取装置及び第２読取装置が読み取った各端末識別情報に基づいて、端末器の所在を管理する制御部と、を備え、制御部は、第１読取装置が端末器から端末識別情報を読み取ると、管理している端末器の所在情報を第１読取装置の設置位置情報に合わせて更新するとともに、第２読取装置が端末器から端末識別情報を読み取ると、端末器の所在情報と第２読取装置の設置位置情報とが所定の条件で一致する場合に、端末器の所在情報を第２読取装置の設置位置情報に合わせて更新し、所定の条件で一致しない場合は、端末器の所在情報の更新を行わないものである。
【発明の効果】
【００１０】
この発明に係るセキュリティシステムであれば、読取装置の読取エリアを広くしても、端末器の正確な所在管理を行うことができるようになる。
【図面の簡単な説明】
【００１１】
【図１】この発明の実施の形態１におけるセキュリティシステムの適用例を示す図である。
【図２】この発明の実施の形態１におけるセキュリティシステムを示す構成図である。
【図３】この発明の実施の形態１におけるセキュリティシステムの動作を示すフローチャートである。
【図４】この発明の実施の形態２におけるセキュリティシステムを示す構成図である。
【図５】この発明の実施の形態２におけるセキュリティシステムの動作を示すフローチャートである。
【発明を実施するための形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１におけるセキュリティシステムの適用例を示す図、図２はこの発明の実施の形態１におけるセキュリティシステムを示す構成図である。本セキュリティシステムは、建物内等の所定の空間において、管理対象者（物）はどこに存在するのか、その管理対象者（物）はどのような経路で移動したのかといった情報を把握し、管理するためのものである。
【００１４】
図１及び図２において、１は管理対象者が所持したり、管理対象物に付設されたりするタグ（端末器）である。タグ１には、自機（各タグ）を識別するための固有の端末識別情報が付されている。このタグ１は、例えば、ＲＦＩＤタグ等によって構成される。
【００１５】
２及び３は、タグ１の端末識別情報を読み取るためのリーダ（読取装置）である。リーダ２は、自機の読取エリア２ａに存在するタグ１から、その端末識別情報を無線で読み取る機能を、リーダ３は、自機の読取エリア３ａに存在するタグ１から、その端末識別情報を無線で読み取る機能を有している。なお、リーダ３がタグ１から端末識別情報を読み取ることができるエリア（読取エリア３ａ）は、リーダ２がタグ１から端末識別情報を読み取ることができるエリア（読取エリア２ａ）よりも広い範囲に設定されている。
【００１６】
上記リーダ２及び３は、例えば、上記建物内等の所定の空間を複数に分割した際に、その分割されたエリア毎に設置される。そして、リーダ２及び３は、所定の質問信号を自機の読取エリア２ａ及び３ａに対して発信することにより、この質問信号を受信したタグ１に自機に対する応答を行わせ、上記端末識別情報を含む応答信号をタグ１から受信する。また、各リーダ２及び３には、自機（各リーダ）を識別するための固有のリーダ識別情報が予め付されており、リーダ２及び３は、タグ１から端末識別情報を読み取ると、その読み取った端末識別情報と自機のリーダ識別情報とを制御部４に対して送信する。
【００１７】
制御部４は本システムにおける上位装置からなり、各リーダ２及び３の読取結果を取り纏める機能を有している。即ち、制御部４は、各リーダ２及び３が読み取った端末識別情報に基づいて、各タグ１（即ち、管理対象者（物））の所在の管理を行う。また、制御部４は、必要に応じて、所定場所に設置された表示器５に、その管理内容を表示させる。なお、表示器５は、制御部４の一機能（表示部）として備えられていても良い。
【００１８】
図１は本セキュリティシステムを５階建てのビジネスビルに適用した例を示したものである。図１に示すように、狭い読取エリア２ａを有するリーダ２は、例えば、エレベーター乗場６や執務室の出入口に設置された扉７、非常階段の出入口に設置された扉（図示せず）等、上記ビル内においてある階床から他の階床に移動する際に必ず通行しなければならないような場所に設置されている。このリーダ２は、自機の読取エリア２ａが他の階床に大きく広がることがないように、例えば、読取エリア２ａが自機の設置階内に収まるように、その配置や設定が定められている。
【００１９】
一方、広い読取エリア３ａを有するリーダ３は、例えば、執務室等の広い場所に設置される。執務室等では、リーダ３の設置場所が制限されることも多く、リーダ３の全数或いは一部を、天井や床に近接して設置（天井や床に直接設置する場合も含む）しなければならないことがある。例えば、図１に示すものでは、１階の執務室内のリーダ３を天井に近接して、また、２階及び３階の執務室内のリーダ３を床に直接設置している。このため、１階乃至３階の執務室に設置されたリーダ３の読取エリア３ａは、４階及び５階の執務室に設置されたリーダ３の読取エリア３ａと比較して、他階床への広がりが大きくなっている。
【００２０】
なお、４階及び５階の執務室に設置されたリーダ３の読取エリア３ａは、リーダ２の読取エリア２ａよりも、他階床へ大きく広がっている。
【００２１】
また、上記制御部４は、タグ１から端末識別情報を読み取ったリーダがリーダ２の場合とリーダ３の場合とにおいて異なる処理を行うように構成されている。具体的に、制御部４は、リーダ２がタグ１から端末識別情報を読み取った場合は、管理しているそのタグ１の所在情報を、端末識別情報を読み取ったリーダ２の設置位置情報に合わせて更新する。
【００２２】
一方、リーダ３がタグ１から端末識別情報を読み取ると、制御部４は、そのタグ１の所在情報と端末識別情報を読み取ったリーダ２の設置位置情報とが所定の条件で一致するか否かの判定を行う。そして、制御部４は、上記判定において一致する旨を判断すると、上記タグ１の所在情報をそのリーダ２の設置位置情報に合わせて更新する。また、制御部４は、上記判定において一致しない旨を判断した場合は、上記タグ１の所在情報の更新を行わない。
【００２３】
このような機能を実現するため、制御部４には、情報受取部８、個人情報記憶部９、機器情報記憶部１０、表示制御部１１、動作制御部１２が備えられている。
情報受取部８は、各リーダ２及び３からの情報（即ち、各リーダ２及び３が読み取ったタグ１の端末識別情報及びその端末識別情報を読み取った各リーダ２及び３のリーダ識別情報）を受信する機能を有している。
【００２４】
個人情報記憶部９には、タグ１の各所有者に関する情報（個人情報）が記憶されている。下記表１は、個人情報記憶部９に記憶されている個人情報テーブルの一例を示したものである。
【００２５】
【表１】
2011182192.tif 000003
【００２６】
表１に示すように、個人情報記憶部９には、個人情報として、例えば、個人番号（その個人が所有するタグ１の端末識別情報）、その個人の名前、所属、所在階が互いに関連付けて記憶されている。上記所在階は、個人（タグ１）の所在情報を構成するものであり、リーダ２及び３の読取結果に応じて適宜書き換えが行われる。なお、個人（タグ１）の所在をより詳細に管理する必要がある場合は、上記個人情報テーブルに所在場所の欄を追加しても良い。かかる場合、所在階と所在場所との双方が、個人（タグ１）の所在情報を構成し、リーダ２及び３の読取結果に応じて適宜書き換えられる。
【００２７】
機器情報記憶部１０には、各リーダ２及び３に関する情報（機器情報）が記憶されている。下記表２は、機器情報記憶部１０に記憶されている機器情報テーブルの一例を示したものである。
【００２８】
【表２】
2011182192.tif 000004
【００２９】
表２に示すように、機器情報記憶部１０には、機器情報として、例えば、リーダ番号（リーダ識別情報）、リーダの名前、設置階、所在階書き換え（の可否）、連続読取回数が互いに関連付けて記憶されている。上記設置階は、各リーダ２及び３の設置位置情報を構成するものである。なお、個人（タグ１）の所在をより詳細に管理する必要がある場合は、上記機器情報テーブルに設置場所の欄を追加し、各リーダ２及び３の詳細な設置場所をその欄に記憶させても良い。かかる場合、設置階と設置場所との双方が、各リーダ２及び３の設置位置情報を構成する。
【００３０】
また、個人情報記憶部９に記憶されている個人（タグ１）の所在情報の書き換えを行うか否かの情報は、上記所在階の書き換えの欄に記憶されている。即ち、この欄に「可」が記憶されているリーダによって端末識別情報が読み取られた場合は、個人情報記憶部９内の所在情報の書き換えが行われる。一方、この欄に「否」が記憶されているリーダによって端末識別情報が読み取られた場合は、所定の条件が成立しなければ、個人情報記憶部９内の所在情報の書き換えは行われない。本実施の形態においては、リーダ２の欄には「可」が、リーダ３の欄には「否」が記憶されている。
【００３１】
表示制御部１１は、表示器５の表示を制御する機能を有している。具体的に、表示制御部１１は、個人情報記憶部９の記憶内容に基づき、必要に応じて、各個人の所在階（及び／又は、所在場所）を表示器５に表示させる。
【００３２】
動作制御部１２は、制御部４の各種動作を制御する機能を有している。具体的に、動作制御部１２には書換判定部１３が備えられており、この書換判定部１３によって、個人情報記憶部９に記憶されているタグ１の所在情報の書き換えが必要か否かを判定する。なお、書換判定部１３による上記判定は、制御部４がリーダ２及び３から受信した情報と、個人情報記憶部９及び機器情報記憶部１０に記憶されている情報とに基づいて行われる。
【００３３】
次に、図３も参照し、上記構成を有するセキュリティシステムの動作、特に上記制御部４の動作について説明する。図３はこの発明の実施の形態１におけるセキュリティシステムの動作を示すフローチャートである。
なお、以下においては、個人情報記憶部９に表１に示す個人情報テーブルが、機器情報記憶部１０に表２に示す機器情報テーブルが記憶され、端末識別情報「０００１」のタグ１の所有者（三菱太郎）が１階から５階に移動する場合について具体的な説明を行う。
【００３４】
制御部４では、リーダ２及び３によってタグ１の端末識別情報が読み取られたか否かを所定周期で判定している（Ｓ１０１）。
【００３５】
端末識別情報「０００１」のタグ１の所有者が、エレベーターを利用して１階から５階に移動し、５階のエレベーター乗場６で降りると、５階のエレベーター乗場６の近傍に設置されたリーダ２（リーダ識別情報「０００５」）によって端末識別情報の読み取りが自動的に行われる。そして、このリーダ２は、タグ１から端末識別情報を読み取ると、その読み取った端末識別情報「０００１」と自機のリーダ識別情報「０００５」とを制御部４に対して送信する。
【００３６】
制御部４では、情報受取部８が上記リーダ２からの情報を受信すると（Ｓ１０１のＹｅｓ）、動作制御部１２により、個人情報テーブルと機器情報テーブルとに基づいて、受信した情報に該当する個人とリーダとの検索を行う（Ｓ１０２）。そして、この検索により、制御部４は、端末識別情報「０００１」の個人（タグ１）を該当個人として、リーダ識別情報「０００５」のリーダ２を該当リーダとして特定する。
なお、端末識別情報「０００１」のタグ１の所有者は、それまで１階にいたため、この時点において、個人情報テーブルには、上記該当個人の所在階の欄に、「１階」が書き込まれている。
【００３７】
上記検索の後、制御部４では、機器情報テーブルを参照することにより、動作制御部１２によって、上記該当リーダの所在階の書き換えが「可」に設定されているか否かを判定する（Ｓ１０３）。なお、リーダ識別情報「０００５」のリーダ２については、所在階の書き換えが「可」に設定されている。このため、動作制御部１２は、Ｓ１０２で特定した該当個人の所在階を、該当リーダの設置階に合わせて１階から５階に書き換える処理を行う（Ｓ１０４）。
【００３８】
その後、端末識別情報「０００１」のタグ１の所有者が、５階のエレベーター乗場６から執務室の入口まで移動すると、扉７の近傍に設置されたリーダ２（リーダ識別情報「０００６」）によって端末識別情報の読み取りが自動的に行われる。そして、このリーダ２から制御部４に対して、読み取った端末識別情報「０００１」と自機のリーダ識別情報「０００６」とが送信されると、制御部４において上記Ｓ１０１乃至１０４に示す各処理が行われる。
【００３９】
なお、リーダ識別情報「０００５」のリーダ２が端末識別情報を読み取った後にリーダ識別情報「０００６」のリーダ２が同じ端末識別情報を読み取った場合は、該当個人の所在階に変更は生じない。このため、かかる場合は、Ｓ１０４に示す処理は省略しても良い。或いは、実質的な内容の変更は生じないが、該当個人の所在階（５階）を、リーダ識別情報「０００６」のリーダ２の設置階（５階）へと書き換える処理を行っても良い。
【００４０】
Ｓ１０４の処理を行った後、制御部４では、動作制御部１２より、該当個人の所在階と該当リーダの設置階とが一致するか否かの判定を行う（Ｓ１０５）。Ｓ１０４の処理が行われた場合は、Ｓ１０５において常に一致する旨の判定がなされる。このため、制御部４では、動作制御部１２によって認証ＯＫを判断し、認証の成功時に行う所定の動作を実施させる（Ｓ１０６）。
【００４１】
例えば、リーダ識別情報「０００６」のリーダ２がタグ１の端末識別情報を読み取った場合、動作制御部１２は、Ｓ１０６において５階の執務室への扉７を解錠させるための解錠信号を出力する。また、個人（タグ１）の所在をより詳細に管理している場合は、該当個人の所在情報の各項目を該当リーダの設置位置情報に合わせて更新し、該当個人の所在場所を該当リーダの設置場所に合わせて書き換える。
【００４２】
その後、端末識別情報「０００１」のタグ１の所有者が、５階の執務室に入ると、執務室に設置されたリーダ３（リーダ識別情報「０１００」）によって端末識別情報の読み取りが自動的に行われる。
【００４３】
制御部４では、上記リーダ３から、端末識別情報「０００１」及びリーダ識別情報「０１００」の各情報を受信すると（Ｓ１０１のＹｅｓ）、上記Ｓ１０２及びＳ１０３に示す各処理を順次実施する。なお、この時の該当リーダ（リーダ識別情報「０１００」のリーダ３）は、その所在階の書き換えが「否」に設定されている。このため、制御部４では、Ｓ１０４の処理を行うことなくＳ１０５に進み、動作制御部１２により、該当個人の所在階と該当リーダの設置階とが一致するか否かの判定を行う。
【００４４】
この時の該当個人の所在階は、５階のエレベーター乗場６、或いは５階の執務室入口を通過する際に「５階」に書き換えられているため、Ｓ１０５においては一致する旨の判定がなされる。このため、動作制御部１２は、Ｓ１０６において、例えば、該当個人の所在情報の各項目を該当リーダの設置位置情報に合わせて書き換える等の所定の処理を行う。
【００４５】
一方、上述したように、執務室に設置されたリーダ３は、広い読取エリア３ａを有しており、その読取エリア３ａは、他階床にまで大きく広がっている場合がある。このため、所定の階床には、その階のリーダ３の読取エリア３ａを含め、上階や下階に設置されたリーダ３の読取エリア３ａも存在していることがある。例えば、４階の執務室に設置されたリーダ３のうち、その一部（図示せず）が執務室の天井に直接設置されているような場合は、端末識別情報「０００１」のタグ１の所有者が５階の執務室を移動している際に、その４階のリーダ３によって端末識別情報が読み取られてしまうことがある。
【００４６】
かかる場合、制御部４が、例えば、端末識別情報「０００１」及びリーダ識別情報「０００４」の各情報をリーダ３から受信すると、制御部４では、先ず、動作制御部１２により、上記Ｓ１０２及びＳ１０３に示す各処理を順次実施する。なお、この時の該当リーダ（リーダ識別情報「０００４」のリーダ３）は、その所在階の書き換えが「否」に設定されている。このため、制御部４では、Ｓ１０４の処理を行うことなくＳ１０５に進み、動作制御部１２により、該当個人の所在階と該当リーダの設置階とが一致するか否かの判定を行う。
【００４７】
この時の該当個人の所在階は、５階の執務室を移動している際に「５階」に書き換えられているため、Ｓ１０５においては一致しない旨の判定がなされる。このため、動作制御部１２は、該当個人の所在情報を書き換える等の所定の処理を行わずに、Ｓ１０１の処理に戻る。即ち、動作制御部１２は、リーダ３が端末識別情報の読み取りを行った場合は、該当個人の所在階と該当リーダの設置階とが一致すれば、該当リーダの検出を有効として該当個人の所在場所の各項目を更新する等の所定の動作を行い、一致しなければ該当リーダの検出を無効として処理を終了する。
【００４８】
この発明の実施の形態１によれば、リーダ３の読取エリア３ａを広く設定しても、誤検出を防止することができ、個人（タグ１）の正確な所在管理を行うことが可能となる。即ち、上記構成を有するセキュリティシステムであれば、他階に設置されたリーダ３によって端末識別情報の読み取りが行われた場合には、個人（タグ１）の所在情報の書き換えは行われない。このため、常に正確な所在を把握することが可能となる。
【００４９】
また、かかる構成であれば、個人（タグ１）の誤検出を防止できるため、リーダ３を天井や床に設置する際に電波を吸収するための遮蔽工事が不要となり、工事費用を大幅に低減させることが可能となる。更に、リーダ３の読取エリア３ａを更に広くして、その設置台数を低減させることもできる。
【００５０】
実施の形態２．
図４はこの発明の実施の形態２におけるセキュリティシステムを示す構成図である。図４において、制御部４には新たに読取情報記憶部１４が、また、動作制御部１２には、書換判定部１３に加えてカウント部１５が備えられている。
その他は、実施の形態１と同様の構成である。
【００５１】
実施の形態１では、リーダ２が端末識別情報を読み取った場合、及び、リーダ３が端末識別情報を読み取り、且つ、そのタグ１の所在階とそのリーダ３の設置階とが一致する場合にのみ、タグ１の所在情報の更新を行った。リーダ２は、階間を移動する際に必ず通行しなければならないような場所に設置されているため、図２に示す構成でも、基本的に、個人（タグ１）の正確な所在を把握することは可能である。
【００５２】
しかし、リーダ２の読取エリア２ａは狭く設定されているため、通行の状態によっては、リーダ２によってタグ１の端末識別情報を読み取ることができないことも考えられる。また、執務室の入口の扉７に電気錠等を設置して、扉７を解錠するために所定のカード（タグ１）をリーダ２にかざすように構成しても、他人が扉７を解錠した際に、自分のカードをリーダ２にかざすことなくその他人と共に執務室に入室してしまうこと（共連れ）は日常的に起こり得る。更に、誤検出を防止するためにはリーダ２の設置台数を増やすことが有効であるが、システム全体のコストを抑えるために、読取エリア２ａの狭いリーダ２の設置台数をなるべく減らしたいといった要求もある。
【００５３】
そこで、このような課題を解決するため、本実施の形態においては、リーダ３が端末識別情報を読み取り、且つ、そのタグ１の所在階とそのリーダ３の設置階が一致しない場合であっても、更に他の所定の条件を満たした場合には、タグ１の所在情報をそのリーダ３の設置位置情報に合わせて更新するように構成する。
【００５４】
上記カウント部１５は、リーダ３が端末識別情報を読み取り、且つ、そのタグ１の所在階とそのリーダ３の設置階が一致しない場合の回数をカウントする機能を有している。なお、カウント部１５によってカウントされた回数は、タグ１毎及びリーダ３毎に読取情報記憶部１４に記憶される。そして、動作制御部１２は、所定のタグ１及びリーダ３について、カウント部１５によってカウントされた回数が所定の設定値に達した場合は、そのタグ１の所在階とそのリーダ３の設置階とが一致しない旨が判定された場合であっても、そのタグ１の所在情報をそのリーダ３の設置位置情報に合わせて更新する処理を行う。
【００５５】
なお、機器情報記憶部１０には、タグ１の所在情報の更新を行うか否かを判定するための上記設定値が、連続読取回数として予め設定されている。
【００５６】
次に、図５も参照し、上記構成を有するセキュリティシステムの動作、特に上記制御部４の動作について具体的に説明する。図５はこの発明の実施の形態２におけるセキュリティシステムの動作を示すフローチャートである。図５のＳ２０１乃至Ｓ２０６に示す処理は、図３のＳ１０１乃至Ｓ１０６に示す処理と同様である。
【００５７】
以下においては、個人情報記憶部９に表１に示す個人情報テーブルが、機器情報記憶部１０に表２に示す機器情報テーブルが記憶され、且つ、端末識別情報「０００１」のタグ１の所有者（三菱太郎）が１階から５階に移動した際にリーダ２による検出が行われず、そのまま５階の執務室に入室してしまった場合について具体的な説明を行う。なお、端末識別情報「０００１」のタグ１の所有者が５階に移動した際にリーダ２による検出が行われた場合の動作は実施の形態１と同様であるため、その具体的な説明は省略する。
【００５８】
端末識別情報「０００１」のタグ１の所有者が５階の執務室に入ると、その執務室に設置されたリーダ３（リーダ識別情報「０１００」）によって端末識別情報の読み取りが自動的に行われる。
【００５９】
制御部４では、上記リーダ３から、端末識別情報「０００１」及びリーダ識別情報「０１００」の各情報を受信すると（Ｓ２０１のＹｅｓ）、Ｓ２０２及びＳ２０３に示す各処理を順次実施する。なお、この時の該当リーダ（リーダ識別情報「０１００」のリーダ３）は、その所在階の書き換えが「否」に設定されている。このため、制御部４では、Ｓ２０４の処理を行うことなくＳ２０５に進み、動作制御部１２により、該当個人の所在階と該当リーダの設置階が一致するか否かの判定を行う。
【００６０】
上述したように、この時の該当個人の所在階は、依然として「１階」が記憶されている。このため、Ｓ１０５においては、該当個人の所在階と該当リーダの設置階とが一致しない旨の判定が動作制御部１２によって行われる。かかる場合、制御部４では、該当リーダの検出を有効にすることなく、カウント部１５によって読取回数が＋１にされ、その読取結果が読取情報記憶部１４に記憶される（Ｓ２０７）。即ち、この場合、読取情報記憶部１４には、端末識別情報「０００１」のリーダ識別情報「０１００」に対する読取回数が「１回」として記憶される。
【００６１】
次に、動作制御部１２は、読取情報記憶部１４に記憶されている読取回数が、該当リーダの設定値（即ち、機器情報記憶部１０に記憶されている連続読取回数）以上であるか否かを判定する（Ｓ２０８）。なお、この時の該当リーダ（リーダ識別情報「０１００」のリーダ３）は、その設定値が「３回」に設定されている。このため、制御部４では、Ｓ２０８においてＮｏの判定を行ってＳ２０１の処理へと移行し、リーダ２又は３から情報が再び送信されてくるのを待機する。
なお、この時点において、端末識別情報「０００１」のタグ１の所有者の所在階は、依然として「１階」が記憶されている。
【００６２】
その後、端末識別情報「０００１」のタグ１の所有者が５階の執務室内に居続け、リーダ識別情報「０１００」のリーダ３によって端末識別情報が再び読み取られると、制御部４において上記と同様の処理が行われる。即ち、Ｓ２０７において読取回数が＋１にされ、その読取結果が読取情報記憶部１４に記憶される。この場合、読取情報記憶部１４には、端末識別情報「０００１」のリーダ識別情報「０１００」に対する読取回数が「２回」として記憶される。
【００６３】
なお、かかる場合であっても、読取情報記憶部１４に記憶されている読取回数は該当リーダの設定値よりも小さい。このため、制御部４では、Ｓ２０８からＳ２０１の処理へと移行し、リーダ２又は３から情報が送信されてくるのを待機する。なお、この時点においても、端末識別情報「０００１」のタグ１の所有者の所在階は、依然として「１階」が記憶されている。
【００６４】
更にその後、端末識別情報「０００１」のタグ１の所有者が５階の執務室内に居続け、リーダ識別情報「０１００」のリーダ３によって端末識別情報が読み取られると、Ｓ２０７において読取回数が＋１にされ、読取情報記憶部１４に記憶された読取回数が「３回」に更新される。かかる場合、動作制御部１２は、Ｓ２０８において、読取情報記憶部１４に記憶されている読取回数が、該当リーダの設定値以上である旨の判定を行う。
【００６５】
Ｓ２０８においてＹｅｓの判定を行うと、動作制御部１２は、読取情報記憶部１４に記憶されている読取回数をクリアして（Ｓ２０９）、Ｓ２０４に移行する。即ち、Ｓ２０９の処理により、読取情報記憶部１４に記憶された、端末識別情報「０００１」のリーダ識別情報「０１００」に対する読取回数は「０回」となる。
【００６６】
Ｓ２０４に移行した後の処理は、実施の形態１と同様である。即ち、Ｓ２０４において該当個人の所在階が該当リーダの設置階に合わせて１階から５階へと書き換えられることにより、動作制御部１２は、Ｓ２０５において該当個人の所在階と該当リーダの設置階とが一致する旨の判定を行う。そして、動作制御部１２は、Ｓ２０６において、該当個人の所在情報の各項目を該当リーダの設置位置情報に合わせて更新する等の所定の動作を実施する。
【００６７】
なお、制御部４では、読取情報記憶部１４に「１回」が記憶されたものについては、「１回」が記憶されてから所定時間が経過するとその記憶内容をクリアするように構成しても良い。かかる構成により、リーダ３による読み取りが上記所定時間内に連続して行われた場合のみ、Ｓ２０８からＳ２０９を経てＳ２０４の処理に移行させることができる。
【００６８】
以上の説明は、読取情報記憶部１４に記憶された読取回数が設定値に達した際に、全てのリーダ３についてタグ１の所在情報の更新を行う場合についてである。
【００６９】
しかし、上記所在情報の更新を全てのリーダ３について適用する必要はない。例えば、リーダ３のうち、その読取エリア３ａが自機の設置階だけに広がっているもの（及び、読取エリア３ａの他階床への広がりが僅かであるもの）についてのみ、上記所在情報の更新を適用しても良い。かかる場合、リーダ３のうち、読取エリア３ａの他階床への広がりが大きいものについては、上記所在情報の更新を行わないように設定する。
【００７０】
例えば、図１に示す例では、１階乃至３階の執務室に設置されたリーダ３は、その読取エリア３ａが他階床にまで大きく広がっている。一方、４階及び５階の執務室に設置されたリーダ３は、読取エリア３ａの他階床への広がりが僅かに抑えられている。このため、制御部４は、４階及び５階の執務室に設置されたリーダ３が端末識別情報を検出した場合のみ上述した処理を行い、読取情報記憶部１４に記憶された読取回数が設定値に達していれば、タグ１の所在情報の更新を行う。一方、１階乃至３階の執務室に設置されたリーダ３が端末識別情報を読み取った場合、制御部４は、そのタグ１の所在情報の更新を行わない。
【００７１】
このような機能は、例えば、１階乃至３階の執務室に設置されたリーダ３について、機器情報記憶部１０内の所在階書き換えを「否」、連続読取回数を「−」に設定しておくことによって実現できる。これにより、１階乃至３階の執務室に設置されたリーダ３が端末識別情報を読み取った場合は、図５のＳ２０８において常にＮｏの判定がなされ、Ｓ２０９からＳ２０４の処理に移行することを防止できる。
これにより、リーダ３の設置場所や読取エリア３ａの範囲（読み取り可能な距離）等に合わせた最適な設定を個別に行うことが可能となる。
【符号の説明】
【００７２】
１  タグ（端末器）
２、３  リーダ（読取装置）
２ａ、３ａ  読取エリア
４  制御部
５  表示器
６  エレベーター乗場
７  扉
８  情報受取部
９  個人情報記憶部
１０  機器情報記憶部
１１  表示制御部
１２  動作制御部
１３  書換判定部
１４  読取情報記憶部
１５  カウント部
【図１】
2011182192.tif 000005
【図２】
2011182192.tif 000006
【図３】
2011182192.tif 000007
【図４】
2011182192.tif 000008
【図５】
2011182192.tif 000009